(57)【要約】【課題】  サッシを搬送する際は梱包用緩衝材として使用でき、また、組み立てて使用する際は養生材となる窓枠用保護材を提供する。【解決手段】  保形性を有し、幅方向に延びる谷折り線３にて長手方向に連続する複数のプレート２は、長手方向に延びる所定の谷折り線５と山折り線４を互いに平行をなすように備え、前記長手方向の谷折り線と山折り線を折ると形成される尾根８とその両側壁部７における前記幅方向の谷折り線部分に切り込みを設け、かつ幅方向の谷折り線にて隣接する２つのプレートのうちの少なくとも一方の前記尾根を構成する山折り線部分に、幅方向の谷折り線から延びる切り込みを設けて舌片を形成し、前記各谷折り線、山折り線を折って前記尾根８、谷６、側壁部７を形成した際に、この舌片を他方のプレートにおける尾根に貼着させてプレート間に所要の角度を付すことができるように構成した。【選択図】図１
2011152946.tif 000002
【特許請求の範囲】
【請求項１】
保形性を有し、幅方向に延びる谷折り線にて長手方向に連続する複数のプレートを有し、各プレートは、長手方向に延びる所定の谷折り線と山折り線を互いに平行をなすように備え、前記長手方向の谷折り線と山折り線を折ると形成される尾根とその両側壁部における前記幅方向の谷折り線部分に切り込みを設け、かつ幅方向の谷折り線にて隣接する２つのプレートのうちの少なくとも一方における前記尾根を構成する山折り線部分に、幅方向の谷折り線から延びる切り込みを設けて舌片を形成し、前記各谷折り線、山折り線を折って前記尾根、谷、側壁部を形成した際に、この舌片を他方のプレートにおける尾根に貼着することによってプレート間に所要の角度を付すことができるように構成してなる窓枠用保護材。
【請求項２】
前記舌片の裏面に貼着用テープを付してなる請求項１に記載の窓枠用保護材。
【発明の詳細な説明】
【技術分野】
【０００１】
本発明は、サッシの保護材に係り、梱包用緩衝材、または養生材となる窓枠用保護材に関する。
【背景技術】
【０００２】
一般に、建築現場で建築部材や設備等の部材を搬入搬出の際にサッシ窓枠（掃出し窓）を利用することがある。このような場合、搬入搬出される物品がサッシに接触してそれらの表面が傷つくのを防ぐために、サッシを布や段ボール等の養生材で覆っている。
【０００３】
しかし、布や段ボール等の養生材では、サッシの段差を十分に覆って保護することができず、また、しっかりと係着していないために外れてしまって、作業の妨げになることもあった。
【０００４】
また、サッシの立ち上がり片全体の上を覆って使用する養生材があるが（例えば、特許文献１参照）、このような養生材では、搬送において荷が嵩む、製造コストが高くつく、窓枠の角部（上枠や下枠と立枠との接続部分）をカバーできないといった問題があった。
【先行技術文献】
【特許文献】
【０００５】
【特許文献１】実開平１−１５０７５７号公報
【発明の概要】
【発明が解決しようとする課題】
【０００６】
本発明は、サッシを搬送する際は梱包用緩衝材として使用でき、また、組み立てて使用する際は養生材となる窓枠用保護材を提供できるようにした。
【課題を解決するための手段】
【０００７】
上述した課題を解決するために、本発明に係る窓枠用保護材は、保形性を有し、幅方向に延びる谷折り線にて長手方向に連続する複数のプレートを有し、各プレートは、長手方向に延びる所定の谷折り線と山折り線を互いに平行をなすように備え、前記長手方向の谷折り線と山折り線を折ると形成される尾根とその両側壁部における前記幅方向の谷折り線部分に切り込みを設け、かつ幅方向の谷折り線にて隣接する２つのプレートのうちの少なくとも一方における前記尾根を構成する山折り線部分に、幅方向の谷折り線から延びる切り込みを設けて舌片を形成し、前記各谷折り線、山折り線を折って前記尾根、谷、側壁部を形成した際に、この舌片を他方のプレートにおける尾根に貼着することによってプレート間に所要の角度を付すことができるように構成してなるものとしてある。
【０００８】
また、前記舌片の裏面に貼着用テープを付してなるものとしてある。
【発明の効果】
【０００９】
本発明の窓枠用保護材によれば、サッシを搬送する際には、サッシの間に挟み込んで梱包用緩衝材として使用でき、また、サッシ窓枠を搬入搬出口として利用する際には、搬入搬出される物品との直接の接触を防ぐことにより、サッシと前記物品の両方の表面に傷がつかないようにでき、さらに、サッシのレールに埃が入ってしまって汚れが付いてしまうことを防ぐことができる。
【００１０】
また、本発明のものは、押出成形ではなく、シート材よりなるプレート体に折曲用の折り線や切込みを加工するだけなので、極めて低コストに製造することができる。
【００１１】
さらに、本発明のものでは連続するプレート体によって、窓枠の上枠や下枠と立枠とをともにカバーできるので、窓枠の角部を確実かつ容易に保護することができる。
【図面の簡単な説明】
【００１２】
【図１】本発明に係る窓枠用保護材の一例を示す一部平面図。
【図２】図１に示した窓枠用保護材を折り畳んだ状態の矢印側から見た側面図。
【図３】図１に示した窓枠用保護材を折り畳んだ状態を示す一部斜視図。
【図４】図１に示した窓枠用保護材を組立てた状態を示す一部斜視図。
【図５】図１に示した窓枠用保護材を示す全体平面図。
【図６】図５に示した窓枠用保護材を折り畳んだ状態の斜視図。
【図７】本発明に係る窓枠用保護材の使用例を示す図。
【図８】本発明に係る窓枠用保護材の他の例を示す一部平面図。
【図９】図８に示す窓枠用保護材の一部拡大図。
【図１０】図８に示した窓枠用保護材を組立てた状態を示す一部斜視図。
【図１１】本発明に係る窓枠用保護材の更に他の例を示す側面図。
【図１２】本発明に係る窓枠用保護材の更に他の例を示す一部斜視図。
【発明を実施するための形態】
【００１３】
本発明に係る窓枠用保護材を、以下、添付図面に基づいて説明する。
【実施例】
【００１４】
本発明に係る窓枠用保護材の一例の一部を示した平面図を図１に示す。
幅方向、すなわち縦方向の折曲線（縦断谷折り線３）で連続する左右のプレート２、２の長手方向に、窓枠用保護材１を上下方向に折り畳んだ際に谷６、側壁部７、尾根８（図２参照）を形成するよう所望の間隔で互いに平行をなすように山折り線４と谷折り線５の折曲線を形成している。
【００１５】
そして、前記プレート２、２の前記尾根８を形成する部分とその尾根を挟む側壁部７、７を形成する部分における前記縦断谷折り線３上に切込みを付している。
【００１６】
また、前記尾根８を挟む側壁部７と谷６の境界をなす谷折り線５と、前記縦断谷折り線３の交点９から、尾根に向かって４５度の傾斜で交点１０に至る切込みを設け、切り抜き１１部を形成している。
【００１７】
さらに、前記縦断谷折り線３上の切込みの両側に位置する一方の尾根の端部に舌片１２を形成し、もう一方の尾根の端部は同尾根の上下の交点１０を結ぶ線で切り欠いている。
【００１８】
本例の窓枠用保護材１の使用方法について説明する。
【００１９】
まず、前記左右のプレート２、２の長手方向に施した前記山折り線４と谷折り線５に基づいて折り畳み（図２、３参照）、次いで前記縦断谷折り線３上で折曲させて組み立てる（図４参照）。
【００２０】
図１に示した実施例のものは、窓枠用保護材１を組立てると、切り抜き１１を構成する左右のプレート２、２における前記側壁部７の相対する辺同士が当接して係止し、同左右のプレートが９０度の角度を成してサッシに配設されるようにしている（図４、６参照）。
【００２１】
そして、一方の尾根に形成した舌片１２がもう一方の尾根に当接する。この際、舌片１２の当接側に接着するための例えば粘着テープ１４等を付しておいて（図４参照）、同粘着テープを貼着させて組み立て状態を維持するようにしてもいい。
【００２２】
上記実施例においては、切り抜き１１を左右両方のプレートを切り欠いて作成しているが、左右どちらか一方のプレートに切り抜きを形成しておけばよく、組み立てた際、それぞれのプレートの尾根部、側壁部が重なるので、たとえば直角をなさないサッシに対応させることができる（図示せず）。
【００２３】
また、切り抜き１１部を作成していないものを図８乃至図１０に示していて、窓枠用保護材１を組み立てて左右のプレート２、２が略直角をなした場合、前記縦断谷折り線３上の切込みの両側に位置する側壁部７、７の端部がスカート部１３となり、水平方向に位置するプレート２における側壁部７の端部に対して垂直方向に位置するプレート２における側壁部７の端部を外側になるように重ねると、同スカート部１３の端辺が前記谷６に当接し、係止状態が保持される。
【００２４】
本例の窓枠用保護材１によれば、サッシを現場まで搬送する際に、同サッシのレールに対応する形成加工された窓枠用保護材１をサッシの間に挟み込んで緩衝材として使用できる。
【００２５】
この場合、窓枠用保護材１を山折り線４、谷折り線５に基づいて折り畳んでからサッシの間に挟み込んでもよいが、形成加工を施した平面状の窓枠用保護材１をサッシの間に挟み込むと、上に重なるサッシの重みで左右のプレート２、２がサッシの凹凸形状に応じてある程度の畳み込みが行われる。
【００２６】
そして、現場で窓にサッシを設置し、本発明の窓枠用保護材をサッシに取り付けておけば、例えばその後、その窓を物品の搬入搬出口として利用する場合に、前記物品との接触で互いに傷がつかないようにでき、また、サッシのレールに埃が入るなどして汚れが着くことを防ぐことができる。
【００２７】
よって、本発明の窓枠用保護材１は、サッシを現場まで搬送するときの振動・衝撃等による表面の傷つきを防ぐ緩衝剤となり、さらに、組み立ててサッシに取り付けた際にはサッシへの搬入搬出部材の直接の接触を防ぐ保護材となる。
【００２８】
また、同窓枠用保護材１は、現場で容易に組み立てられるので、作業性が向上する。
【００２９】
本発明の窓枠用保護材は、合成樹脂で形成したものを示しているが、これは筋目が付いて折り曲げられる材質のもの、例えばボール紙等の紙材を使用してもよい。
【００３０】
また、本実施例では、二つのプレートが連続したものを示したが、二つ以上のプレートが連続したものとしてもよい。
【００３１】
さらに、本実施例では、同じ長さの二つのプレートが連続したもので示したが、縦断谷折り線は所望のサッシに応じて任意の位置にあればよい。
【００３２】
また、サッシの底面に段差がある場合（図１１参照）、縦方向の折曲線（縦断谷折り線３）に平行をなす任意の折り線を設ける場合もある。
【００３３】
さらに、プレート２、２に係合手段を設ける場合もある。
例えば、プレート２、２の幅方向の両端の立ち上がり部において、窓枠用保護材１を組み立てた際に重なる部分に前記係合手段として切込み１６を付し、同切込み１６どうしを噛み合せてスカート部１３の係止状態を保持させる場合もある（図１２参照）。
【００３４】
またプレート２、２に、前記係合手段としてスリットと係合用舌片を設けて、窓枠用保護材１の組み立て状態を保持させる場合もある。
【００３５】
さらに、プレート２の裏に粘着テープを付しておいて、窓枠用保護材１をサッシに装着した際に貼着させておくようにしてもいい。
【符号の説明】
【００３６】
１  窓枠用保護材
２  プレート
３  縦断谷折り線
４  山折り線
５  谷折り線
６  谷
７  側壁部
８  尾根
９  交点
１０  交点
１１  切り抜き
１２  舌片
１３  スカート部
１４  粘着テープ
１５  サッシ
１６  切込み
【図１】
2011152946.tif 000003
【図２】
2011152946.tif 000004
【図３】
2011152946.tif 000005
【図４】
2011152946.tif 000006
【図５】
2011152946.tif 000007
【図６】
2011152946.tif 000008
【図７】
2011152946.tif 000009
【図８】
2011152946.tif 000010
【図９】
2011152946.tif 000011
【図１０】
2011152946.tif 000012
【図１１】
2011152946.tif 000013
【図１２】
2011152946.tif 000014